(57)【要約】プラズマディスプレイパネルは、前面板と、前面板と対向配置され、かつ、前面板との間に放電セルを区画する隔壁を有する背面板と、を備える。前面板は、第１電極と、第１電極に平行な第２電極と、を放電セル内に有する。第１電極は、第１バス電極と、第１バス電極に電気的に接続され、かつ、第２電極側に突出した複数の第１透明電極と、を含む。第２電極は、第２バス電極と、第２バス電極に電気的に接続され、かつ、第１電極側に突出した複数の第２透明電極と、を含む。複数の第１透明電極の先端部と複数の第２透明電極の先端部との間には、放電ギャップが設けられている。
2011096176.tif 000002
【特許請求の範囲】
【請求項１】
前面板と、
前記前面板と対向配置され、かつ、前記前面板との間に放電セルを区画する隔壁を有する背面板と、を備え、
前記前面板は、第１電極と、前記第１電極に平行な第２電極と、を前記放電セル内に有し、
前記第１電極は、第１バス電極と、前記第１バス電極に電気的に接続され、かつ、前記第２電極側に突出した複数の第１透明電極と、を含み、
前記第２電極は、第２バス電極と、前記第２バス電極に電気的に接続され、かつ、前記第１電極側に突出した複数の第２透明電極と、を含み、
前記複数の第１透明電極の先端部と前記複数の第２透明電極の先端部との間に放電ギャップを設けた、
プラズマディスプレイパネル。
【請求項２】
前記前面板は、前記第１電極および前記第２電極を被覆した誘電体層を有し、
前記複数の第１透明電極のうち少なくとも２つの間の距離は、前記誘電体層の膜厚以上であり、
前記複数の第２透明電極のうち少なくとも２つの間の距離は、前記誘電体層の膜厚以上である、
請求項１に記載のプラズマディスプレイパネル。
【請求項３】
前記複数の第１透明電極の先端部および前記複数の第２透明電極の先端部は、曲線を含む、
請求項１または２のいずれか一項に記載のプラズマディスプレイパネル。
【請求項４】
前記第１電極は、前記複数の第１透明電極を電気的に接続する第３透明電極を含み、
前記第３透明電極は、前記第１バス電極に被覆され、
前記第２電極は、前記複数の第２透明電極を電気的に接続する第４透明電極を含み、
前記第４透明電極は、前記第２バス電極に被覆された、
請求項１または２のいずれか一項に記載のプラズマディスプレイパネル。
【請求項５】
前記第複数の第１透明電極は、前記第１バス電極の両側に突出し、
前記第複数の第２透明電極は、前記第２バス電極の両側に突出した、
請求項１または２のいずれか一項に記載のプラズマディスプレイパネル。
【請求項６】
前記複数の第１透明電極のうち少なくとも１つの先端部は、前記複数の第２透明電極のうちの少なくとも１つの先端部と対向配置された、
請求項１に記載のプラズマディスプレイパネル。
【請求項７】
前記複数の第１透明電極のうち少なくとも１つの先端部は、前記複数の第２透明電極のうちの２つの前記第２透明電極の先端部間に配置された、
請求項１に記載のプラズマディスプレイパネル。
【請求項８】
前記複数の第１透明電極の少なくとも２つの先端部は、電気的に接続され、
前記複数の第２透明電極の少なくとも２つの先端部は、電気的に接続された、
請求項１に記載のプラズマディスプレイパネル。
【請求項９】
前記複数の第１透明電極の少なくとも２つの先端部は、前記複数の第１透明電極と同じ材料で電気的に接続され、
前記複数の第２透明電極の少なくとも２つの先端部は、前記複数の第２透明電極と同じ材料で電気的に接続された、
請求項８に記載のプラズマディスプレイパネル。
【発明の詳細な説明】
【技術分野】
【０００１】
本開示の技術は、表示デバイスに用いられるプラズマディスプレイパネルに関するものである。
【背景技術】
【０００２】
プラズマディスプレイパネル（以下、ＰＤＰと称する）は、一対の基板間に放電空間が形成されるように対向して配置された構造をしている。放電空間は、基板に配置された隔壁で複数に仕切られ、複数の放電セルが構成されている。基板には、隔壁で仕切られた放電空間で放電を発生させるために、表示電極とデータ電極が配置されている。基板には、放電により赤色、緑色、青色に発光する蛍光体が設けられている。ＰＤＰは、放電で発生する紫外光によって蛍光体を励起し、放電セルからそれぞれ赤色、緑色、青色の可視光を発して画像の表示を行っている。【０００３】
ＰＤＰにおいて、画像表示の際の発光輝度を増加させるために、表示電極は、幅広で帯状の透明電極と、透明電極に金属電極であるバスラインとを重ねた構成である。これにより、表示電極の面積が拡大する。この構成により増大する放電電流を抑えるため、または、透明電極をなくして工程数を削減するために、表示電極が複数の部分に分割され開口部が設けられた表示電極が用いられている（例えば、特許文献１参照）。
【先行技術文献】
【特許文献】
【０００４】
【特許文献１】国際公開第０２／０１７３４５号
【発明の概要】
【０００５】
プラズマディスプレイパネルは、前面板と、前面板と対向配置され、かつ、前面板との間に放電セルを区画する隔壁を有する背面板と、を備える。前面板は、第１電極と、第１電極に平行な第２電極と、を放電セル内に有する。第１電極は、第１バス電極と、第１バス電極に電気的に接続され、かつ、第２電極側に突出した複数の第１透明電極と、を含む。第２電極は、第２バス電極と、第２バス電極に電気的に接続され、かつ、第１電極側に突出した複数の第２透明電極と、を含む。複数の第１透明電極の先端部と複数の第２透明電極の先端部との間には、放電ギャップが設けられている。
【図面の簡単な説明】
【０００６】
【図１】図１は、実施の形態１に係るＰＤＰを示す分解斜視図である。
【図２】図２は、実施の形態１に係るＰＤＰの放電セル部分の構成を示す断面図である。
【図３】図３は、実施の形態１に係るＰＤＰの電極配列図である。
【図４】図４は、実施の形態１に係るＰＤＰを用いたプラズマディスプレイ装置の全体構成を示すブロック図である。
【図５】図５は、実施の形態１に係るＰＤＰの各電極に印加する駆動電圧波形を示す波形図である。
【図６Ａ】図６Ａは、実施の形態１に係るＰＤＰの表示電極を構成する走査電極および維持電極と隔壁との配置関係を示す平面図である。
【図６Ｂ】図６Ｂは、実施の形態１に係るＰＤＰの表示電極を構成する維持電極と隔壁との配置関係の詳細を示す平面図である。
【図７】図７は、実施の形態１に係るＰＤＰの表示電極を構成する走査電極および維持電極と隔壁との配置関係の他の例を示す平面図である。
【図８】図８は、実施の形態２に係るＰＤＰの表示電極を構成する走査電極および維持電極と隔壁との配置関係を示す平面図である。
【図９】図９は、実施の形態２に係るＰＤＰの表示電極を構成する走査電極および維持電極と隔壁との配置関係の他の例を示す平面図である。
【発明を実施するための形態】
【０００７】
（実施の形態１）
まず、実施の形態１に係るＰＤＰ１００の全体構成が、図１〜図３を用いて説明される。
【０００８】
図１に示されるように、ＰＤＰ１００は、前面板１と背面板２とで構成されている。前面板１と背面板２とは、間に放電空間３を形成するように対向して配置される。
【０００９】
前面板１は、基板４、表示電極７、誘電体層８および保護膜９で構成されている。ガラス製の基板４上に、導電性の表示電極７が行方向に複数本配列されている。表示電極７は、第１電極である走査電極５と第２電極である維持電極６とで構成されている。走査電極５と維持電極６とは、間に放電ギャップを設けて互いに平行に配置されている。ガラス材料からなる誘電体層８は、走査電極５と維持電極６とを覆うように形成されている。誘電体層８上には、酸化マグネシウム（ＭｇＯ）からなる保護膜９が形成されている。
【００１０】
図２に示されるように、走査電極５は、第３透明電極である透明電極５ａと、後に図６Ａで示される第１透明電極である透明電極５ｃと、透明電極５ａと透明電極５ｃとに電気的に接続されて形成された第１バス電極であるバス電極５ｂと、で構成されている。
【００１１】
維持電極６は、第４透明電極である透明電極６ａと、後に図６Ａで示される第２透明電極である透明電極６ｃと、透明電極６ａと透明電極６ｃとに電気的に接続されて形成された第２バス電極であるバス電極６ｂと、で構成されている。
【００１２】
透明電極５ａ、５ｃ、６ａ、６ｃは、インジウムスズ酸化物（ＩＴＯ）などである。バス電極５ｂ、６ｂは、銀（Ａｇ）などの導電性金属を含む。走査電極５と維持電極６との構成は、後に詳述される。
【００１３】
図１に示されるように、背面板２は、基板１０と、絶縁体層１１と、データ電極１２と、隔壁１３と、蛍光体層１４Ｒ、１４Ｇ、１４Ｂとで構成されている。ガラス製の基板１０上に、Ａｇからなる複数本のデータ電極１２が設けられている。データ電極１２は、列方向にストライプ状に配列されている。データ電極１２は、ガラス材料からなる絶縁体層１１で覆われている。絶縁体層１１上には、ガラス材料からなる井桁状の隔壁１３が設けられている。隔壁１３は、前面板１と背面板２との間に形成される放電空間３を、放電セル１５毎に区画する。絶縁体層１１の表面および隔壁１３の側面には、赤色（Ｒ）、緑色（Ｇ）、青色（Ｂ）の蛍光体層１４Ｒ、１４Ｇ、１４Ｂが設けられている。
【００１４】
そして、走査電極５および維持電極６とデータ電極１２とが交差するように、前面板１と背面板２とは対向配置される。図３に示されるように、走査電極５および維持電極６とデータ電極１２とが交差する領域には、放電セル１５が設けられている。放電空間３には、放電ガスとして、例えばネオンとキセノンの混合ガスが封入されている。なお、ＰＤＰ１００の構造は上述したものに限られるわけではない。ＰＤＰ１００の構造は、例えばストライプ状の隔壁を備えたものでもよい。
【００１５】
ここで、図２に示されるように、放電セル１５を形成する井桁形状の隔壁１３は、縦隔壁１３ａと、横隔壁１３ｂとから構成されている。縦隔壁１３ａは、データ電極１２に平行に形成されている。横隔壁１３ｂは、縦隔壁１３ａに直交するように形成されている。蛍光体層１４Ｒ、１４Ｇ、１４Ｂは、縦隔壁１３ａに沿ってストライプ状に、隔壁１３内に塗布されている。蛍光体層１４Ｒ、１４Ｇ、１４Ｂは、青色蛍光体層１４Ｂ、赤色蛍光体層１４Ｒ、緑色蛍光体層１４Ｇの順に配列されている。
【００１６】
走査電極５は、行方向に長いｎ本の走査電極Ｙ１、Ｙ２、Ｙ３・・・Ｙｎで構成されている。維持電極６は、行方向に長いｎ本の維持電極Ｘ１、Ｘ２、Ｘ３・・・Ｘｎで構成されている。データ電極１２は、列方向に長いｍ本のデータ電極Ａ１・・・Ａｍで構成されている。１対の走査電極Ｙｐおよび維持電極Ｘｐ（１≦ｐ≦ｎ）と、１本のデータ電極Ａｑ（１≦ｑ≦ｍ）と、が交差した領域には、放電セル１５が形成されている。放電セル１５は、放電空間３内にｍ×ｎ個形成されている。走査電極５および維持電極６は、走査電極Ｙ１−維持電極Ｘ１−維持電極Ｘ２−走査電極Ｙ２・・・のパターンで、前面板１に形成されている。走査電極５および維持電極６は、放電セル１５が形成された画像表示領域の外に設けられた駆動回路の端子に接続されている。
【００１７】
次に、上述したＰＤＰ１００を用いたプラズマディスプレイ装置２００の全体構成および駆動方法が説明される。
【００１８】
図４に示されるように、プラズマディスプレイ装置２００は、図１〜図３に示される構成のＰＤＰ１００、画像信号処理回路１６、データ電極駆動回路１７、走査電極駆動回路１８、維持電極駆動回路１９、タイミング発生回路２０および電源回路（図示せず）を備えている。データ電極駆動回路１７は、ＰＤＰ１００のデータ電極１２の一端に接続されている。データ電極駆動回路１７は、データ電極１２に電圧を供給するための半導体素子からなる複数のデータドライバを有している。データ電極１２は、数本ずつのデータ電極１２を１ブロックとして複数のブロックに分割されている。データ電極１２は、そのブロック単位で複数のデータドライバをＰＤＰ１００の下端部に設けられた電極引出部に接続されている。
【００１９】
図４において、画像信号処理回路１６は、画像信号ｓｉｇをサブフィールド毎の画像データに変換する。データ電極駆動回路１７は、サブフィールド毎の画像データを各データ電極Ａ１〜Ａｍに対応する信号に変換し、各データ電極Ａ１〜Ａｍを駆動する。タイミング発生回路２０は、水平同期信号Ｈおよび垂直同期信号Ｖをもとにして各種のタイミング信号を発生させ、各駆動回路ブロックに各種のタイミング信号を供給する。走査電極駆動回路１８は、タイミング信号にもとづいて走査電極Ｙ１〜Ｙｎに駆動電圧波形を供給する。維持電極駆動回路１９は、タイミング信号にもとづいて維持電極Ｘ１〜Ｘｎに駆動電圧波形を供給する。なお、維持電極の一端は、ＰＤＰ１００内、またはＰＤＰ１００外において共通に接続され、その共通に接続された配線は、維持電極駆動回路１９に接続されている。
【００２０】
次に、ＰＤＰ１００を駆動するための駆動電圧波形とその動作が図５を用いて説明される。
【００２１】
実施の形態１に係るＰＤＰ１００において、１フィールドは複数のサブフィールドに分割され、それぞれのサブフィールドは、初期化期間、書込み期間、維持期間を有している。
【００２２】
第１サブフィールドの初期化期間では、データ電極Ａ１〜Ａｍおよび維持電極Ｘ１〜Ｘｎは０（Ｖ）に保持される。走査電極Ｙ１〜Ｙｎは、放電開始電圧以下となる電圧Ｖｉ１（Ｖ）から放電開始電圧を超える電圧Ｖｉ２（Ｖ）に向かって緩やかに上昇するランプ電圧を印加される。すると、すべての放電セル１５において１回目の微弱な初期化放電が発生し、走査電極Ｙ１〜Ｙｎ上に負の壁電圧が蓄えられる。また、維持電極Ｘ１〜Ｘｎ上およびデータ電極Ａ１〜Ａｍ上に正の壁電圧が蓄えられる。これにより、ここで、電極上の壁電圧とは、電極を覆う誘電体層および蛍光体層上等に蓄積した壁電荷により生じる電圧を指す。
【００２３】
その後、維持電極Ｘ１〜Ｘｎは正の電圧Ｖｈ（Ｖ）に保たれ、走査電極Ｙ１〜Ｙｎは、電圧Ｖｉ３（Ｖ）から電圧Ｖｉ４（Ｖ）に向かって緩やかに下降するランプ電圧を印加される。すると、すべての放電セル１５において２回目の微弱な初期化放電が起こる。これにより、走査電極Ｙ１〜Ｙｎ上と維持電極Ｘ１〜Ｘｎ上との間の壁電圧は、弱められ、書込み動作に適した値に調整される。データ電極Ａ１〜Ａｍ上の壁電圧も書込み動作に適した値に調整される。
【００２４】
続く書込み期間では、走査電極Ｙ１〜Ｙｎは一旦Ｖｒ（Ｖ）に保持される。次に、１行目の走査電極Ｙ１は、負の走査パルス電圧Ｖａ（Ｖ）を印加される。また、データ電極Ａ１〜Ａｍのうち１行目に表示すべき放電セル１５のデータ電極Ａｋ（ｋ＝１〜ｍ）は、正の書込みパルス電圧Ｖｄ（Ｖ）を印加される。このときデータ電極Ａｋと走査電極Ｙ１との交差部の電圧は、外部印加電圧（Ｖｄ−Ｖａ）（Ｖ）にデータ電極Ａｋ上の壁電圧と走査電極Ｙ１上の壁電圧とが加算されたものとなり、放電開始電圧を超える。そして、データ電極Ａｋと走査電極Ｙ１との間および維持電極Ｘ１と走査電極Ｙ１との間に書込み放電が起こる。これにより、この放電セル１５の走査電極Ｙ１上に正の壁電圧が蓄積され、維持電極Ｘ１上に負の壁電圧が蓄積される。このとき、データ電極Ａｋ上にも負の壁電圧が蓄積される。
【００２５】
このようにして、１行目に表示すべき放電セル１５で書込み放電が起こり、各電極上に壁電圧を蓄積する書込み動作が行われる。一方、書込みパルス電圧Ｖｄ（Ｖ）が印加されなかったデータ電極Ａ１〜Ａｍと走査電極Ｙ１との交差部の電圧は放電開始電圧を超えないので、書込み放電は発生しない。以上の書込み動作がｎ行目の放電セル１５に至るまで順次行われ、書込み期間が終了する。
【００２６】
続く維持期間では、走査電極Ｙ１〜Ｙｎには第１の電圧として正の維持パルス電圧Ｖｓ（Ｖ）が印加される。維持電極Ｘ１〜Ｘｎには第２の電圧として接地電位、すなわち０（Ｖ）が印加される。このとき書込み放電を起こした放電セル１５においては、走査電極Ｙｉ（ｉ＝１〜ｎ）上と維持電極Ｘｉ上との間の電圧は、維持パルス電圧Ｖｓ（Ｖ）に走査電極Ｙｉ上の壁電圧と維持電極Ｘｉ上の壁電圧とが加算されたものとなり、放電開始電圧を超える。そして、走査電極Ｙｉと維持電極Ｘｉとの間に維持放電が起こり、このとき発生した紫外線により蛍光体層が発光する。そして走査電極Ｙｉ上に負の壁電圧が蓄積され、維持電極Ｘｉ上に正の壁電圧が蓄積される。このときデータ電極Ａｋ上にも正の壁電圧が蓄積される。
【００２７】
書込み期間において書込み放電が起きなかった放電セル１５では、維持放電は発生せず、初期化期間の終了時における壁電圧が保持される。続いて、走査電極Ｙ１〜Ｙｎには第２の電圧である０（Ｖ）が印加される。維持電極Ｘ１〜Ｘｎには第１の電圧である維持パルス電圧Ｖｓ（Ｖ）が印加される。すると、維持放電を起こした放電セル１５では、維持電極Ｘｉ上と走査電極Ｙｉ上との間の電圧が放電開始電圧を超えるので、再び維持電極Ｘｉと走査電極Ｙｉとの間に維持放電が起こる。そして維持電極Ｘｉ上に負の壁電圧が蓄積され、走査電極Ｙｉ上に正の壁電圧が蓄積される。
【００２８】
以降同様に、走査電極Ｙ１〜Ｙｎと維持電極Ｘ１〜Ｘｎとに交互に輝度重みに応じた数の維持パルスが印加されることにより、書込み期間において書込み放電を起こした放電セル１５で維持放電が継続して行われる。こうして維持期間における維持動作が終了する。続くサブフィールドにおける初期化期間、書込み期間、維持期間の動作も第１サブフィールドにおける動作とほぼ同様のため、説明は省略される。
【００２９】
次に、実施の形態１に係るＰＤＰ１００の表示電極７の構成が、さらに詳細に説明される。
【００３０】
図６Ａに示された隔壁１３は、本来、紙面において手前側に配置されているが、説明の便宜のため、走査電極５おとび維持電極６の背面に示されている。
【００３１】
図６Ａに示されるように、表示電極７は、複数の透明電極５ｃの維持電極６側の先端部と複数の透明電極６ｃの走査電極５側の先端部との間に複数の放電ギャップを設けている。
【００３２】
走査電極５は、帯状のバス電極５ｂと、バス電極５ｂに平行な帯状の透明電極５ａと、バス電極５ｂから突出した複数の透明電極５ｃとを有する。バス電極５ｂは、透明電極５ａおよび突出した複数の透明電極５ｃ上に形成されている。バス電極５ｂは、透明電極５ａおよび複数の透明電極５ｃと電気的に接続されている。複数の透明電極５ｃは、バス電極５ｂの延伸方向に垂直な方向に突出している。また、複数の透明電極５ｃは、透明電極５ａおよびバス電極５ｂの両側へ突出している。つまり、複数の透明電極５ｃの一方は、維持電極６側である放電ギャップ側に突出している。また、複数の透明電極５ｃの他方は、放電ギャップと反対側に突出している。放電ギャップ側の透明電極５ｃと反対側の透明電極５ｃとは同一直線上に形成されている。複数の透明電極５ｃは、透明電極５ａおよびバス電極５ｂで電気的に接続されている。
【００３３】
維持電極６は、走査電極５と同様に、帯状のバス電極６ｂと、バス電極６ｂに平行な帯状の透明電極６ａと、バス電極６ｂから突出した複数の透明電極６ｃとを有する。バス電極６ｂは、透明電極６ａおよび突出した複数の透明電極６ｃ上に形成されている。バス電極６ｂは、透明電極６ａおよび複数の透明電極６ｃと電気的に接続されている。複数の透明電極６ｃは、バス電極６ｂの延伸方向に垂直な方向に突出している。また、複数の透明電極６ｃは、透明電極６ａおよびバス電極６ｂの両側へ突出している。つまり、複数の透明電極６ｃの一方は、走査電極５側である放電ギャップ側に突出している。また、複数の透明電極６ｃの他方は、放電ギャップと反対側に突出している。放電ギャップ側の透明電極６ｃと反対側の透明電極６ｃとは同一直線上に形成されている。複数の透明電極６ｃは、透明電極６ａおよびバス電極６ｂで電気的に接続されている。
【００３４】
ここで、本発明者らが行った実験の結果が説明される。
【００３５】
［実施例］
本実験では、透明電極５ａ、５ｃ、６ａ、６ｃは、ＩＴＯである。透明電極５ａ、５ｃ、６ａ、６ｃの膜厚は、０．２μｍである。バス電極５ｂ、６ｂは、黒色顔料とガラス材料とＡｇとを含む。バス電極５ｂ、６ｂの膜厚は、５μｍ程度である。透明電極５ａ、５ｃ、６ａ、６ｃおよびバス電極５ｂ、６ｂは、フォトリソグラフィ法によって形成された。誘電体層８は、二酸化ケイ素（ＳｉＯ２）やホウ酸（Ｂ２Ｏ３）を主成分とするガラスにフィラーとしてシリカ粒子が混合されたガラス材料である。誘電体層８の比誘電率は、５〜７程度である。縦隔壁１３ａは、表示電極７の延伸方向に１４８μｍのピッチで形成された。つまり、走表示電極７の延伸方向における放電セル１５のピッチは、１４８μｍである。誘電体層８は、スクリーン印刷法によって形成された。しかし、実施の形態１は、上記材料、構成および方法に限られない。
【００３６】
図６Ｂは、維持電極６の構成を示す。走査電極５の構成は、維持電極の構成と同様である。本実験では、３つのパラメータを変更したＰＤＰ１００が作製された。１つ目は、図６Ｂには示されないが、誘電体層８の膜厚である。２つ目は、透明電極５ｃ、６ｃの幅（ライン）である。ラインは、表示電極７の延伸方向における透明電極５ｃ、６ｃの長さである。３つ目は、隣合う透明電極５ｃ、６ｃ間の距離（スペース）である。スペースは、表示電極７の延伸方向で隣合う２つの透明電極５ｃ、６ｃ間の距離である。後に表１で示されるペアは、１ラインと１スペースとの合計である。ペアの数は、放電セル１５内に設けられるペアの数である。なお、実施例で用いられる放電セル１５は、少なくとも３．０ペアを有する。バス電極５ｂ、６ｂの幅は、６５μｍである。バス電極５ｂ、６ｂの幅は、表示電極７の延伸方向に垂直な方向におけるバス電極５ｂ、６ｂの長さである。帯状の透明電極５ａ、６ａの幅は、３５μｍである。透明電極５ａ、６ａの幅は、表示電極７の延伸方向に垂直な方向における透明電極５ａ、６ａの長さである。透明電極５ａ、６ａは、バス電極５ｂ、６ｂの両端から１５μｍ程度の距離を有して覆われている。放電ギャップ側の透明電極５ｃ、６ｃの長さは、４０μｍである。放電ギャップ側の透明電極５ｃの長さは、表示電極７の延伸方向に垂直な方向において、バス電極５ｂから維持電極６側に突出した透明電極５ｃの長さである。放電ギャップ側の透明電極６ｃの長さは、表示電極７の延伸方向に垂直な方向において、バス電極６ｂから走査電極５側に突出した透明電極６ｃの長さである。放電ギャップと反対側の透明電極５ｃ、６ｃの長さは、２０μｍである。放電ギャップと反対側の透明電極５ｃの長さは、表示電極７の延伸方向に垂直な方向において、横隔壁１３ｂを介して隣の放電セル１５側にバス電極５ｂから突出した透明電極５ｃの長さである。放電ギャップと反対側の透明電極６ｃの長さは、表示電極７の延伸方向に垂直な方向において、横隔壁１３ｂを介して隣の放電セル１５側にバス電極６ｂから突出した透明電極６ｃの長さとである。放電ギャップの距離は、８０μｍである。放電ギャップの距離は、放電ギャップ側の透明電極５ｃと放電ギャップ側の透明電極６ｃとの先端部間の距離である。
【００３７】
３つのパラメータを変更した実施例１〜１０および比較例は、発光効率を測定された。比較例のＰＤＰは、ストライプ状の透明電極と透明電極に積層されたバス電極を有する。発光効率は、比較例の発光効率（表中「１．００」と示される。）との相対値である。
【００３８】
【表１】
2011096176.tif 000003
【００３９】
表１は、実施の形態１におけるＰＤＰ１００を用いた実験結果を示す表である。表１に示されるように、本実験では、実施例１〜８として誘電体層８の膜厚が２２μｍのＰＤＰ１００が作製された。実施例１〜４では、ペアの長さを４０μｍに一定して、ラインとスペースとが変更された。実施例４〜８では、スペースを１５μｍに一定して、ラインとペアの長さとペアの数とが変更された。また、実施例９および１０として誘電体層８の膜厚が２０μｍのＰＤＰ１００が作製された。実施例９および１０では、ラインを１５μｍに一定して、スペースとペアの長さとペアの数とが変更された。比較例は、実施例１〜８のスペースを０にしたＰＤＰ１００に相当する。
【００４０】
まず、実施例１〜１０は、実施の形態１のＰＤＰ１００の発光効率が比較例と比べ向上していることを示している。実施例４〜８は、誘電体層８の膜厚に対してスペースを一定にすると、発光効率がほぼ同等な値になることを示している。実施例１〜４は、スペースが大きくなるほど発光効率が向上することを示している。実施例１は、スペースが２５μｍであり誘電体層８の膜厚より大きく、発光効率が１．１０である。一方、実施例４は、スペースが１５μｍであり誘電体層８の膜厚より小さく、発光効率が１．０３である。この現象の理由は解明されていないが、スペースが誘電体層８の膜厚以上であると、発光効率は向上する。このことは、実施例１および実施例６にも示されている。実施例１および実施例６は、ラインが１５μｍで同一であり、スペースが変更されている。実施例１は、スペースが２５μｍであり誘電体層８の膜厚より大きく、発光効率が１．１０である。一方、実施例６は、スペースが１５μｍであり誘電体層８の膜厚より小さく、発光効率が１．０３である。
【００４１】
このように、実施の形態１のＰＤＰ１００は、対向配置された複数の透明電極５ｃ、６ｃを有する走査電極５と維持電極６との間に複数の放電ギャップを設けることで、無効電力を低減させ、発光効率を向上させることができる。また、実施の形態１のＰＤＰ１００は、スペースが大きくなるほど発光効率が向上する。実施例１、２および９に示されるように、実施の形態１のＰＤＰ１００は、スペースが誘電体層８の膜厚以上であると、発光効率は５％以上向上する。そのため、実施の形態１のＰＤＰ１００は、スペースが誘電体層８の膜厚以上であることがより望ましい。なお、実施の形態１のＰＤＰ１００は、放電セル１５のピッチ内に少なくとも２つの透明電極５ｃ、６ｃを有するため、スペースは、放電セル１５のピッチから２ライン差し引いた長さ以下である必要がある。
【００４２】
図７に示された隔壁１３は、本来、紙面において手前側に配置されているが、説明の便宜のため、走査電極５おとび維持電極６の背面に示されている。
【００４３】
なお、図７に示されるように、走査電極５は、透明電極５ｃの先端部が、維持電極６の透明電極６ｃの先端部間に配置されていてもよい。つまり、透明電極５ｃの先端部は、透明電極６ｃが形成されていない領域に透明電極６ｃの先端部より走査電極５側に配置されていてもよい。維持電極６は、透明電極６ｃの先端部が、維持電極５の透明電極５ｃの先端部間に配置されている。つまり、透明電極６ｃの先端部は、透明電極５ｃが形成されていない領域に透明電極５ｃの先端部より維持電極６側に配置されている。このように表示電極７を用いたＰＤＰ１００も、上述の実施例１〜１０と同様に、無効電力を低減させ、発光効率を向上させることができた。
【００４４】
なお、実施の形態１における走査電極５は、バス電極５ｂの両側に突出した複数の透明電極５ｃを有するが、そのような構成に限られない。また、維持電極６は、バス電極６ｂの両側に突出した複数の透明電極６ｃを有するが、そのような構成に限られない。走査電極５は、少なくとも維持電極６側に突出した複数の透明電極５ｃを有すればよく、維持電極６は、少なくとも走査電極５側に突出した複数の透明電極６ｃを有すればよい。しかし、複数の透明電極５ｃ、６ｃをバス電極５ｂ、６ｂの両側に配置することで、透明電極５ｃと透明電極６ｃとの間で発生する放電が広がるため、ＰＤＰ１００の発光効率は向上する。そのため、複数の透明電極５ｃ、６ｃは、バス電極５ｂ、６ｂの両側に配置することが望ましい。両側に設けられる複数の透明電極５ｃ、６ｃは、放電ギャップ側の透明電極５ｃ、６ｃが反対側の透明電極５ｃ、６ｃより長いことが望ましい。それは、誤放電を防止するためである。また、放電ギャップ側の透明電極５ｃ、６ｃと反対側の透明電極５ｃ、６ｃとは、同一直線上であっても、同一直線上でなくてもよい。
【００４５】
また、複数の透明電極５ｃ、６ｃの先端部は、曲線を含んでいることが好ましい。実施例１〜１０の結果から推測するところ、ＰＤＰ１００の発光効率は、放電ギャップ側の透明電極５ｃ、６ｃの面積に依存している。つまり、ＰＤＰ１００の発光効率は、電極の面積を減少させることで、さらに効率を向上することができる。透明電極５ｃ、６ｃの先端部が曲線を含んだＰＤＰ１００は、図６Ａおよび図７に示されたような先端部が四角い透明電極５ｃ、６ｃを用いたものよりも、無効電力を低減させることでできるため、発光効率を向上させることができる。先端部が曲線を含んでいる透明電極５ｃ、６ｃは、例えば、円形状の先端部を有する透明電極５ｃ、６ｃである。また、先端部の形状は、曲線を含む形状に限られず、放電ギャップ側に向かうにつれて透明電極５ｃ、６ｃの幅が狭くなる形状であればよい。つまり、先端部の形状は、先端が尖ったものでもよい。なお、先端部の形状は、特に限定されないが、放電ギャップの距離は同等であることが好ましい。それは、放電ギャップの距離が大きくなると放電に必要な電圧が上がるからである。
【００４６】
さらに、複数の透明電極５ｃ、６ｃは、バス電極５ｂ、６ｂにより電気的に接続されているため、透明電極５ａ、６ａで電気的に接続されていなくても良い。しかし、複数の透明電極５ｃ、６ｃは、透明電極５ａ、６ａで電気的に接続されることで、透明電極５ｃ、６ｃおよび透明電極５ａ、６ａとバス電極５ｂ、６ｂとの接触面積が増加する。接触面積が増加すると、透明電極５ｃ、６ｃおよび透明電極５ａ、６ａとバス電極５ｂ、６ｂとの接触抵抗を低減することができる。これにより、複数の透明電極５ｃ、６ｃが電気的に接続された表示電極７は、接続されていない表示電極７よりも、維持放電の発生に必要な電圧を低減することができる。
【００４７】
以上のように、実施の形態１に係るＰＤＰ１００は、走査電極５が、バス電極５ｂと、バス電極５ｂに電気的に接続され、かつ、維持電極６側に複数の透明電極５ｃを有する透明電極５ａと、を含み、維持電極６が、バス電極６ｂと、バス電極６ｂに電気的に接続され、かつ、走査電極５側に複数の透明電極６ｃを有する透明電極６ａと、を含み、複数の透明電極５ｃのうち少なくとも１つの先端部が、複数の透明電極６ｃのうちの少なくとも１つの先端部と対向配置され、複数の透明電極５ｃの先端部と複数の透明電極６ｃの先端部との間に放電ギャップが設けられた構成とすることにより、無効電力を低減させ、発光効率を向上させることができるという効果が得られる。
【００４８】
（実施の形態２）
以下、実施の形態２に係るＰＤＰ１００が説明される。実施の形態１に係るＰＤＰ１００と構成の異なる表示電極７の構成が、詳細に説明される。
【００４９】
図８に示されるように、表示電極７は、表示電極７は、走査電極５と維持電極６とで構成されている。図９に示されるように、走査電極５は、第１バス電極である帯状のバス電極５ｂと、バス電極５ｂに電気的に接続された第３透明電極である帯状の透明電極５ａを有する。透明電極５ａは、バス電極５ｂの両側に突出した第１透明電極である複数の透明電極５ｃを有する。複数の透明電極５ｃは、帯状のバス電極５ｂの延伸方向に垂直な方向に突出している。維持電極６は、第２バス電極であるバス電極６ｂと、バス電極６ｂに電気的に接続された第４透明電極である透明電極６ａを有する。透明電極６ａは、バス電極６ｂの両側に突出した第２透明電極である複数の透明電極６ｃを有する。透明電極６ｃは、帯状のバス電極６ｂの延伸方向に垂直な方向に突出している。複数の透明電極５ｃの維持電極６側の先端部は、複数の透明電極６ｃの走査電極５側の先端部と対向配置されている。複数の透明電極５ｃの維持電極６側の先端部は、透明電極５ｃと同じ材料で電気的に接続されている。複数の透明電極６ｃの走査電極５側の先端部は、透明電極６ｃと同じ材料で電気的に接続されている。そして、表示電極７は、複数の透明電極５ｃの維持電極６側の先端部と複数の透明電極６ｃの走査電極５側の先端部との間に放電ギャップ設けている。
【００５０】
ここで、本発明者らが行った実験の結果が説明される。比較例のＰＤＰは、実施の形態１に係る比較例と同じである。ラインが１４μｍ、スペースが１５μｍである実施の形態２に係るＰＤＰ１００は、比較例と比べ発光効率が向上した。また、ラインが２０μｍ、スペースが２０μｍである実施の形態２に係るＰＤＰ１００も、比較例と比べ発光効率が向上した。
【００５１】
また、実施の形態１と同様、スペースは、誘電体層８の膜厚以上とされることにより、発光効率は向上することがわかった。
【００５２】
すなわち、実施の形態２におけるＰＤＰ１００は、放電ギャップ側の先端部を電気的に接続した複数の透明電極５ｃ、６ｃを有する走査電極５と維持電極６との間に放電ギャップを設けることで、無効電力を低減させ、発光効率を向上させることができる。また、実施の形態２におけるＰＤＰ１００は、スペースを誘電体層８の膜厚以上で放電セル１５内に配置することにより、発光効率を向上させることができる。
【００５３】
また、図９に示されるように、実施の形態２におけるＰＤＰ１００は、１個の放電セル１５に１つずつ透明電極５ｃ、６ｃ形成してもよい。このＰＤＰ１００は、前面板１と、前面板１と対向配置され、かつ、前面板１との間に放電セル１５を区画する隔壁１３を有する背面板２と、を備え、前面板１は、走査電極５と、走査電極５に平行な維持電極６と、を放電セル１５内に有し、走査電極５は、バス電極５ｂと、バス電極５ｂに電気的に接続され、かつ、維持電極６側に１つの透明電極５ａを有する透明電極５ａと、を含み、維持電極６は、バス電極６ｂと、バス電極６ｂに電気的に接続され、かつ、走査電極５側に１つの透明電極６ｃを有する透明電極６ａと、を含み、透明電極５ｃの先端部は、透明電極５ｃと同じ材料で電気的に接続され、かつ、同じ走査電極５を構成する隣の放電セル１５の透明電極５ｃの先端部と電気的に接続され、透明電極６ｃの先端部は、透明電極６ｃと同じ材料で電気的に接続され、かつ、同じ維持電極６を構成する隣の放電セル１５の透明電極６ｃの先端部と電気的に接続され、透明電極５ｃの先端部と透明電極６ｃの先端部との間に放電ギャップを設けている。
【００５４】
すなわち、図９に示されるＰＤＰ１００は、放電ギャップ側の先端部を電気的に接続した透明電極５ｃ、６ｃを有する走査電極５と維持電極６との間に放電ギャップを設けることで、無効電力を低減させ、発光効率を向上させることができる。
【００５５】
以上のように、実施の形態２に係るＰＤＰ１００は、走査電極５が、バス電極５ｂと、バス電極５ｂに電気的に接続され、かつ、維持電極６側に複数の透明電極５ｃを有する透明電極５ａと、を含み、維持電極６が、バス電極６ｂと、バス電極６ｂに電気的に接続され、かつ、走査電極５側に複数の透明電極６ｃを有する透明電極６ａと、を含み、複数の透明電極５ｃの少なくとも２つの先端部が、透明電極５ｃと同じ材料で電気的に接続され、複数の透明電極６ｃの少なくとも２つの先端部が、透明電極６ｃと同じ材料で電気的に接続され、複数の透明電極５ｃの先端部と複数の透明電極６ｃの先端部との間に放電ギャップが設けられた構成とすることにより、無効電力を低減させ、発光効率を向上させることができるという効果が得られる。
【産業上の利用可能性】
【００５６】
以上のように本開示の技術は、プラズマディスプレイパネルの発光効率の向上を実現する上で有用な技術である。
【符号の説明】
【００５７】
１    前面板
２    背面板
３    放電空間
４，１０    基板
５    走査電極
６    維持電極
５ａ，６ａ，５ｃ，６ｃ    透明電極
５ｂ，６ｂ    バス電極
７    表示電極
８    誘電体層
９    保護膜
１１    絶縁体層
１２    データ電極
１３    隔壁
１４Ｒ，１４Ｇ，１４Ｂ    蛍光体層
１５    放電セル
１６    画像信号処理回路
１７    データ電極駆動回路
１８    走査電極駆動回路
１９    維持電極駆動回路
２０    タイミング発生回路
１００    ＰＤＰ
２００    プラズマディスプレイ装置
【図１】
2011096176.tif 000004
【図２】
2011096176.tif 000005
【図３】
2011096176.tif 000006
【図４】
2011096176.tif 000007
【図５】
2011096176.tif 000008
【図６Ａ】
2011096176.tif 000009
【図６Ｂ】
2011096176.tif 000010
【図７】
2011096176.tif 000011
【図８】
2011096176.tif 000012
【図９】
2011096176.tif 000013
【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
前面板と、
前記前面板と対向配置され、かつ、前記前面板との間に放電セルを区画する隔壁を有する背面板と、を備え、
前記前面板は、第１電極と、前記第１電極に平行な第２電極と、を前記放電セル内に有し、
前記第１電極は、第１バス電極と、前記第１バス電極に電気的に接続され、かつ、前記第２電極側に突出した少なくとも３つの第１透明電極と、を含み、
前記第２電極は、第２バス電極と、前記第２バス電極に電気的に接続され、かつ、前記第１電極側に突出した少なくとも３つの第２透明電極と、を含み、
前記第１透明電極の先端部と前記第２透明電極の先端部との間に放電ギャップを設け、
さらに、前記前面板は、前記第１電極および前記第２電極を被覆した誘電体層を有し、
前記第１透明電極のうち少なくとも２つの間の距離は、前記誘電体層の膜厚以上であり、
前記第２透明電極のうち少なくとも２つの間の距離は、前記誘電体層の膜厚以上である、
プラズマディスプレイパネル。
【請求項２】
前記第１透明電極の先端部および前記第２透明電極の先端部は、曲線を含む、
請求項１に記載のプラズマディスプレイパネル。
【請求項３】
前記第１電極は、前記少なくとも３つの第１透明電極を電気的に接続する第３透明電極を含み、
前記第３透明電極は、前記第１バス電極に被覆され、
前記第２電極は、前記少なくとも３つの第２透明電極を電気的に接続する第４透明電極を含み、
前記第４透明電極は、前記第２バス電極に被覆された、
請求項１に記載のプラズマディスプレイパネル。
【請求項４】
前記少なくとも３つの第１透明電極は、前記第１バス電極の両側に突出し、
前記少なくとも３つの第２透明電極は、前記第２バス電極の両側に突出した、
請求項１に記載のプラズマディスプレイパネル。
【請求項５】
前記第１透明電極のうち少なくとも１つの先端部は、前記第２透明電極のうちの少なくとも１つの先端部と対向配置された、
請求項１に記載のプラズマディスプレイパネル。
【請求項６】
前記第１透明電極のうち少なくとも１つの先端部は、前記第２透明電極のうちの２つの前記第２透明電極の先端部間に配置された、
請求項１に記載のプラズマディスプレイパネル。
【請求項７】
前記第１透明電極の少なくとも２つの先端部は、電気的に接続され、
前記第２透明電極の少なくとも２つの先端部は、電気的に接続された、
請求項１に記載のプラズマディスプレイパネル。
【請求項８】
前記第１透明電極の少なくとも２つの先端部は、前記第１透明電極と同じ材料で電気的に接続され、
前記第２透明電極の少なくとも２つの先端部は、前記第２透明電極と同じ材料で電気的に接続された、
請求項７に記載のプラズマディスプレイパネル。
【請求項９】
前記第１透明電極のうち少なくとも２つの間の距離は、２０μｍ以上２５μｍ以下であり、
前記第２透明電極のうち少なくとも２つの間の距離は、２０μｍ以上２５μｍ以下である、
請求項１に記載のプラズマディスプレイパネル。
【請求項１０】
前記誘電体層の膜厚は、２０μｍ以上２２μｍ以下である、
請求項１に記載のプラズマディスプレイパネル。
【請求項１１】
前記第１透明電極のうち少なくとも２つの間の距離は、２０μｍ以上２５μｍ以下であり、
前記第２透明電極のうち少なくとも２つの間の距離は、２０μｍ以上２５μｍ以下であり、
前記誘電体層の膜厚は、２０μｍ以上２２μｍ以下である、
請求項１に記載のプラズマディスプレイパネル。
【請求項１２】
前記第１バス電極の放電ギャップ側に突出した前記第１透明電極は、前記第１バス電極の放電ギャップとは反対側に突出した前記第１透明電極よりも長く、
前記第２バス電極の放電ギャップ側に突出した前記第２透明電極は、前記第２バス電極の放電ギャップとは反対側に突出した前記第２透明電極よりも長い、
請求項１に記載のプラズマディスプレイパネル。
【請求項１３】
前記第１透明電極の電極幅は前記第１透明電極のうち少なくとも２つの間の距離よりも短く、
前記第２透明電極の電極幅は前記第２透明電極のうち少なくとも２つの距離よりも短い、
請求項１に記載のプラズマディスプレイパネル。
【請求項１４】
前記第１透明電極の電極幅は、前記第１透明電極の少なくとも２つの距離と前記第１透明電極の電極幅とを合計した長さの３７％以上７０％以下を占め、
前記第２透明電極の電極幅は、前記第２透明電極の少なくとも２つの距離と前記第２透明電極の電極幅とを合計した長さの３７％以上７０％以下を占める、
請求項１に記載のプラズマディスプレイパネル。
【請求項１５】
前記第１透明電極の電極幅は、１０μｍ以上３５μ以下である、
請求項１４に記載のプラズマディスプレイパネル。
【国際調査報告】
2011096176.tif 000014
2011096176.tif 000015
2011096176.tif 000016
2011096176.tif 000017
2011096176.tif 000018
2011096176.tif 000019
2011096176.tif 000020
2011096176.tif 000021